(57)【要約】【課題】クッション性と保温性が良好で、寝心地が優れた羽毛敷布団を提供する。弾性体部を取り出し可能にすることで、更に保守性を良好にする。【解決手段】羽毛敷布団等の敷寝具を、表裏側地よりなる袋状側地と、表裏側地間に設けた隔壁布材によって、敷寝具の厚さ方向を向いて整列した柱状の複数の小区画室とで構成し、各小区画室内には、空隙部を有する筒状弾性体部と、該筒状弾性体部の空隙部に充填された保温材とを内包する内袋体を充填した。各小区画室に接する表裏側地の一方の面には、各小区画室への挿入口を設けた【選択図】図２
2007135671.tif 000002
【特許請求の範囲】
【請求項１】
表裏側地よりなる袋状側地と、表裏側地間に設けた隔壁布材によって、敷寝具の厚さ方向を向いて整列した柱状の複数の小区画室とよりなり、各小区画室内には、小区画室内の厚さ方向に貫通する空隙部を有する筒状弾性体部と、該筒状弾性体部の空隙部に充填された保温材とを内包する内袋体を充填すると共に、各小区画室に接する表裏側地の一方の面に、各小区画室への挿入口を設けたことを特徴とする敷寝具。
【請求項２】
該小区画室内の弾性体部の空隙部に充填された保温材が、羽毛であることを特徴とする請求項１に記載の敷寝具。
【請求項３】
小区画室内の筒状弾性体部を構成する弾性体の一部、又は全部が低反発ウレタンフォームで形成されている請求項１又は請求項２に記載の敷寝具。
【請求項４】
低反発ウレタンフォームよりなる筒状弾性体部が、弾性の異なる低反発ウレタンフォームを積層して形成されている請求項３に記載の敷寝具。
【請求項５】
小区画室の空隙部を有する筒状弾性体部を形成する弾性体の弾性特性を、敷寝具本体の位置に応じて異ならせて敷寝具内に小区画室を配置したことを特徴とする請求項１乃至請求項４のいずれかに記載の敷寝具。
【発明の詳細な説明】
【技術分野】
【０００１】
本発明は、敷寝具に関し、より詳しくは羽毛等の保温材料と弾性体材料を内部に充填して形成された敷寝具であって、睡眠時の快適さと長期間の使用を可能とした敷寝具に関する。
【背景技術】
【０００２】
就寝用の敷寝具としては、敷布団或いはマットレスが、一般的に用いられている。敷布団は、袋状の側地内部に綿等の充填物を布団側地内で移動しないような状態で布団側内に封入して構成されている。敷布団やマットレス等の敷寝具では、就寝者の身体と敷布団との馴染み具合が悪いと、就寝者の身体に敷布団が圧迫感を与えて、就寝者の背中、腰、大腿部などの部分に敷布団からの圧力が加わり安眠が妨害される。
【０００３】
近年、低反発ウレタンフォームは、優れた耐圧性と衝撃を和らげる柔軟性を兼ね備えた素材として、枕やマットレス材として広く普及している。しかし、単体の低反発ウレタンフォームは、通気性と吸湿性がないために、体内から放出された水分が素材表面に滞留して、いわゆる寝苦しいという症状を起こす。そこで、低反発ウレタンフォームの上部に、上表面に指圧パッドを設けた軟質ウレタンフォームを組み合わせた敷き布団が提案されている。（特許文献１参照）。しかしながら、この敷布団は、指圧パッド間の空間によって通気性を得るに過ぎず、圧縮された指圧パッド部分の通気性は確保されていない。
【０００４】
一方、寝具としての布団の充填物には、優れた保温力と吸湿性を有し、しかも軽量である羽毛も広く用いられている。しかしながら羽毛は重圧に弱く、僅かな圧縮で潰れてしまい、特性である保温力が失われてしまうため、従来、敷布団の素材には不向きであるとされている。そこで、綿と羽毛のそれぞれの利点を兼ね備えた羽毛布団として、裏地と中地の間に綿を収容してキルティングした綿充填層と、中地の上に両面接着テープを使用することにより中地と表地の間に升目状の羽毛収容室を設けて羽毛を充填した羽毛層とを有する羽毛布団が提案されている。（特許文献２参照）。しかしながら、この羽毛布団は、羽毛層が表側地で被覆されているのみであって、羽毛への加圧に対する配慮がなされていず、掛布団として使用するものであって、敷布団として使用することはできないものと思われる。
敷布団用マットレスは、一般に通気性が悪く湿気が滞留し、蒸れ防止を図ることが出来ないという欠点があった。また、敷布団に羽毛を使用しても、従来は、圧縮に対する羽毛の嵩高保持性維持を達成することができず、一定期間使用していると内部の羽毛がつぶれて保温性能、嵩高が劣化して、本来の使用感が得られなくなるという問題があった。
【特許文献１】特開２００２−４５２７２号公報
【特許文献１】特開平６−２５３９５７号公報
【発明の開示】
【発明が解決しようとする課題】
【０００５】
本発明は、敷寝具に係わる上記のような問題に鑑みてなされたもので、クッション性、保温性、通気性が良好であり、寝心地が優れた敷寝具であり、更に、長期間の使用に耐える敷寝具を提供することを目的とする。
【課題を解決するための手段】
【０００６】
本発明の敷寝具は、表裏側地よりなる袋状側地と、表裏側地間に設けた隔壁布材によって、敷寝具の厚さ方向を向いて整列した柱状の複数の小区画室とよりなり、各小区画室内には、小区画室内の厚さ方向に貫通する空隙部を有する筒状弾性体部と、該筒状弾性体部の空隙部に充填された保温材とを内包する内袋体を充填すると共に、各小区画室に接する表裏側地の一方の面に、各小区画室への挿入口を設けた。空隙部に充填される保温材は羽毛であり、小区画室内の筒状弾性体部を構成する弾性体の一部、又は全部は、低反発ウレタンフォームで形成されている。
低反発ウレタンフォームよりなる筒状弾性体部は、弾性の異なる低反発ウレタンフォームを積層して形成されており、敷寝具本体内の位置に応じて、小区画室の弾性体の弾性特性を異ならせた小区画室を配置することも出来る。
【発明の効果】
【０００７】
本発明の羽毛敷布団では、保温材である羽毛と弾性素材が、交互又は円周部に配置するようにして相補的な素材特性の部材を複合的に組み合わせて用いた小区画室の集合として形成されていることにより、羽毛の損傷を防ぎ、耐久性及び通気性を両立させたことを特徴としている。また、各小区画室間に間仕切りを設けその仕切り材を縫製又は融着し上下側生地に固定する事により使用時の衝撃に対し強固に形態保持がなされ、変形や歪みを瞬時に補正する機能を有していることにより、快適感が飛躍的に向上して寝心地も良くなり、耐久性も格段に向上する。敷寝具の各部材が独立体の集合で形成されているので使用時の加重衝撃が周囲に波及することなく、一体構造の従来品に較べて睡眠時の安定感と寝心地を飛躍的に向上させることが可能になった。
【発明を実施するための最良の形態】
【０００８】
以下、本発明の好適な実施の態様について、図面を用いて詳細に説明する。
図１乃至図４は、本発明の敷寝具である羽毛布団の第一の実施態様を示す。図１Ａは、羽毛敷布団の平面図、図１Ｂは、正面図、図２は、図１Ａに示した羽毛敷布団の一部切断底面図、図３Ａは、表側地の裏面を示す拡大図、図３Ｂは裏側地表面拡大図、図４は、羽毛敷布団内部に充填される充填体の一例を示す一部切断平面図である。
【０００９】
図１、２に示す羽毛布団１００は、表裏側地１、３よりなる袋状を有する敷布団本体内部を、布団の厚さ方向の高さを有する六角形の柱状の小区画室５に分けると共に、布団裏側地３の各小区画室５の裏面側端面に該当する箇所夫々に挿入口部５ａを設け、挿入口部５ａから各小区画室５のそれぞれに個々に充填体６を挿入・収容することで構成されている。羽毛敷布団１００は、例えば幅は１００ｃｍで長さは１９５ｃｍ、厚みは、略３ｃｍになっている。
【００１０】
羽毛布団１００は、表側地１と裏側地３の間に布団の厚みとほぼ等しい幅を有する隔壁布材２（襠部）が一定長毎に１２０度屈曲して配置され、表側地１及び裏側地３と接着又は縫着されることにより、表側地１と裏側地３の内部に六角形の小区画室（５，５，５,・・・）が連続的に敷布団略全面に形成されている。表側地１と裏側地３の内部に形成された各小区各室５には、後述する弾性体７と保温材としての羽毛９とを内袋体１０でくるんだ充填体６が個々に充填される。４は、表側地１と裏側地３よりなる縁布である。
【００１１】
このような羽毛敷布団１００の製造には、一般的な縫合も可能であるが、本実施の形態では、縫合に代えて接着を用いている。この場合には、上述したような表側地１とこれに対応した裏側地３、更に両者に接着される幅方向端部に接着剤を塗布した隔壁布材２を準備する。そして、作業平面上に裏返しに拡げた前記表側地１の裏側表面に、図３Ａに示すように表地１の裏側から明示される位置に図柄ＬＰを表示し、これに従って隔壁布材２を配置する。ついで、裏側地３を表側地１と位置あわせして重ねて一体に保持したまま接着剤を加熱圧着硬化させて布団内部に小区画室５を構成するよう隔壁布材２を固定する。隔壁布材２によって、裏側地３にも図３Ｂに示すように充填体６の挿入口部５ａを有した小区画室５が形成される。
【００１２】
次に羽毛敷布団１００の側地（袋体）の製造工程について更に詳しく説明する。直接の作業に先立って形成しようとする小区画室５の全ての区画線位置を明示した図柄を裏面側にプリントした表側地１を準備する（図３Ａ参照）。この図側には区画線位置に略一致させた線状の図柄ＬＰを用いる。羽毛布団１００における表側地１の裏には、形成すべき小区画室５に適合させた図柄がプリントされている。即ち、少なくとも図柄として両方向に連続する多数の六角形状の小区画室５を区画している全ての区画線に略一致することになる六角形状の図柄ＬＰが表面側にプリントされている。図柄ＬＰは、色彩の差や明度差によって目視により容易に視認可能なように決定されている。
【００１３】
なお図柄は完全に線状に連続していなくても全ての区画線位置を明示可能な図柄なら良く、区画線に沿って一定以上の密度で離散的に配置された点状模様等でも良い。この場合区画線の屈曲点（頂角部）に相当する位置に点状模様が在ると判り易い。こうした線状の図柄の間に適宜の模様を併せてプリントしても勿論良い。なお、この図柄ＬＰは区画線全体に対応して完全に連続している必要はなく、六角形状が簡単に抽出できるように各頂角部と各辺分に沿った数点に模様をプリントする等でも良く、要は簡単に目視して区画室の位置が特定できるようになっていれば良い。後述するように実際の袋体製造工程時には表側地１の裏面側から区画室の位置が視認されることになる。なお、上記図柄以外に更に他の図柄がプリントされていても勿論良く、例えば六角図形の中央部に花模様をあしらったもの等は美的で意匠性も高い。
【００１４】
そして表側地１と略等面積の裏側地３を用意する（図３Ａ，Ｂ参照）。裏側地３は、無地或は任意の模様を付した表側地１と略等面積の布片である。各小区画室（５，５，・・・）に対応する位置には、充填体６の挿入口部５ａとなる切り込みが形成されている。表側地１と裏側地３の間に介在させる隔壁布材２は、幅方向端部、即ち、布団厚さ方向の上下端部に接着剤が塗布されている。側地１、３のその他の部分は素材的には羽毛布団として従来知られたものと特別異なる点はない。次に、この様な表側地１と対となる裏側地３とを位置を合わせて重ねて表側地１の小区画室５を明示している図柄ＬＰに従って表側地１と裏側地３の間に隔壁布材（襠部）２を介在固定することで夫々に挿入口部５ａを有した多数の小区画室５を形成する。
【００１５】
なお、布団素材は一般に薄いため通常は裏側からでも透けて容易に図柄が見て取れるが、図柄の色や明度差によって裏側から透けて見えづらい場合もあるがこのような場合でも作業台は透光性の素材で造り下面から照明するようにすれば簡単に図柄が視認できるようになる。
【００１６】
続いて前記表側地１と対となる裏側地３の位置を合わせて重ねてこれらを一体に保持したまま接着剤を熱ローラを通す等により硬化させて表側地１と裏側地３及び隔壁布材２を接着固定させる。こうして夫々に挿入口部５ａを有した多数の六角形状の小区画室５を形成する。表裏側地１，３の周縁部を縁布４で封止して羽毛布団１００の最外周部を形成して全体として袋状体の側地を得る。接着手段を用いた製造は、小区画室の形状が正六角形の連続などの、複雑な形状の場合にも応用できる。接着を用いず、縫着のみで袋状体を作ることもできるが、工程数的には劣る。
【００１７】
次に，上記のようにして形成された六角形の小区画室５に挿入する充填体６の構造について説明する。図４は、充填体６の構造の一例を示す一部切断平面図である。個々の充填体６は、概略布団厚さ方向に長い六角形の筒状の弾性体部７と弾性体部中央に設けられた円形貫通孔部である空隙部８と空隙部８に充填された保温材としての羽毛９と弾性体部７を外包する内袋体１０とで構成されている。より具体的には充填体６は、通気性の良い布製の内袋体１０の内部に、弾性体部７としてその断面外周形状を対応する小区画室５の横断面形状と略一致させ、中央部に空隙部８として円形貫通孔を有する略筒状に形成された弾性体部７としての低反発ウレタンフォームと、この弾性体部７の中央の空隙部８に保温材として充填された羽毛９とよりなる。
【００１８】
弾性体部７の素材である低反発ウレタンフォームとして、いわゆる分子量の大きい軟質ウレタンフォームの材料をベースにしてこの材料に分子量の小さな材料を混合した反発弾性が低く（反発弾性率が例えば２０％程度未満）戻り難さを有するものを用いることが出来る。
【００１９】
図５は、他の形態の充填体１０６を示している。この例では、図に示すように、環状に形成された六角柱状の弾性体１０７の中心部分に、更に円柱状の弾性体１０７ａを配置し、両者の間にできる円環状の空隙部１０８に羽毛１０９が充填され内袋体１１０に封入され充填体１０６としている。
【００２０】
図６は、更に他の形態の充填体２０６を示し、図６Ａは充填体の一部切欠平面図で図６Ｂは図６Ａ、VI−VI線断面図である。布団１００内の平面形状が六角形の小区画室５の横断面形状と合わせた平面視形状が六角形の内袋体２１０に内接するように中央部に円形貫通孔よりなる空隙部２０８を有する略円筒状に形成された弾性体部２０７と、この弾性体部２０７の中央の空隙部２０８と、弾性体部２０７の外周側の内袋体２１０の角部内面に生ずる空隙部２０８ａに保温材として充填された羽毛２０９とが内袋体２１０に封入されている。弾性体部２０７は、厚み方向の全部を同一の弾性体で形成しても良いが、部分的に異なる弾性体を用いてもよい。即ち、弾性体部２０７は、例えば全てが均一の低反発ウレタンフォームでなくとも良く、図６Ｂに示すように、弾性の異なる低反発ウレタンフォームを積層するようにしても良い。図６Ｂでは、一定厚みの低反発ウレタンフォーム２０７ａとこれより固い低反発ウレタンフォーム２０７ｂが積層された構造としている。また、弾性体部２０７全てが低反発ウレタンフォームでなくとも良く、他の弾性部材と積層しても良い。
【００２１】
最終工程として、上述したような充填体６，１０６，２０６を前述した敷布団本体の全ての小区画室５に夫々の挿入口部５ａから充填したのち挿入口部５ａを封止する（縫合あるいは係止具等による）ことで所望の羽毛敷布団が完成する。
【００２２】
図２に示した羽毛敷布団１００では、このような充分な低反発性を有した弾性積層によって、就寝時に体を好適に支えて良好な寝心地が得られるとともに内部の羽毛９のつぶれを軽減することができる。また、低反発ウレタンフォームの弾性体７は、吸湿性に乏しいが上下に貫通する環状の羽毛９の層が存在することで就寝者が湿気を気にすることが無く快適に使用できる。このように、本発明では羽毛９と低反発ウレタンフォームの弾性体７とを組合わせることで相互の難点を緩和して総合的に快適な使用感を得ることができた。
【００２３】
図７に、前記とは異なる形状の小区画室３０５ａ〜３０５ｃに充填する充填体３０６ａ〜３０６ｃの例を示す。図７Ａ〜図７Ｃに示された小区画室３０５ａ〜３０５ｃには、それぞれの小区画室の形状に合わせた充填体３０６ａ〜３０６ｃが挿入され、敷寝具を構成する。いずれの充填体３０６ａ〜３０６ｃも前述したものと同様に、概略布団厚さ方向に任意形状の長さを有する筒状の弾性体部と弾性体部に貫通するよう設けられた空隙部に充填された保温材の羽毛と、弾性体部を外包する内袋体とで構成される。図７Ｃの充填体３０６ｃは外径円形で、図示のように隔壁布材３０２ｃで六角形状に区画された小区画室３０５ｃと組み合わせて（横断面が略一致するように）内接するようにして用いる。
【００２４】
上記のような構成において、敷寝具内の各充填体を、充填体の配置位置に応じて内袋体内の弾性体部の弾性特性を異ならせても良い。例えば、就寝時に身体が載る中央部には、周辺部よりも高弾性の低反発ウレタンフォームを使った充填体を挿入配置するようにすると、いたずらに体が沈みこまず、快適な寝心地が得られる。同時に、敷布団の長手方向でも、就寝時に下方に突出する臀部等の身体部位に対応する位置に、弾性のより低い低反発ウレタンフォームを使った充填体を挿入配置するようにすると、使用者の体にフィットして違和感の無い寝心地が得られる。
【００２５】
また、更なる発展的構成として、上述したような充填体に例えば活性炭微粉末を含ませたシート状の消臭層を組み込む等して、敷寝具に更なる機能を付加することができる。例示の弾性体部の上面に必要に応じて適宜の機能を有した薄板状の機能シート（図示せず）を組み入れる。他にも、健康上効能があるとされる機能層などを組み込んだりしても良い。このような、機能シートを含んだ充填体を、全体あるいは適宜の割合で混在させて羽毛敷布団等の敷寝具を構成する。機能シートとしては、臭気吸収用に活性炭の粉末を柔軟なシートに含ませた炭シート、遠赤外線効果を有したセラミックス粉末を含ませたシート、磁力線を発生するようになっているシート、その他が利用でき、複数のシートを併用して充填体６内部に組み入れることもできる。なお、これらの機能素材をシート状にせずに、弾性体部あるいは保温材に組み込むようにして用いることも考えられる。
【００２６】
次に、図８において本発明の敷布団本体の側地構成の形態について説明する。
図８に図２の羽毛敷布団１００の底面図（裏面）を示す。なお、上面側は前実施の形態と同様であり、（図１参照）、図示を省略した。この実施の形態では、前述したと同じ構成の羽毛敷布団１００の、挿入口５ａが配置された片面全面を覆うための保護布１１を設けてある。保護布１１は、縫着等で固着しても良いが、本実施形態では適宜の留め具１２で脱着自在に付加して羽毛敷布団１００ａを構成する。係止手段として留め具には面ファスナー、ホック、アメリカンホックなどが考えられ、底面側周縁部に沿って敷布団本体部１００ａと保護布１１の対応する部位に底面側周縁部に沿って離散的に取り付ける。このような構成にしてあれば、使用期間中に、局部的に弾性が劣化した部分の充填体のみを簡単に交換することができるから、補修性が向上し長期にわたって使用することが可能になり好適である。
【００２７】
この他，図示は省略するが、略同様に上述したような保護布１１が、羽毛敷布団主部に部分的に固定されていて、ファスナーを用いる等して残る周部が必要に応じて閉口自在な構成としても良く、その場合も同様に補修性が向上する。例えば、図９に示すように羽毛敷布団１００ｂの充填体挿入口部が配置された面全面を覆う保護布１１１に開口部の二方の側辺にスライドファスナー１１４を設け、開閉自在に開口部１１３を構成する。ファスナーのスライダー１１４ａは、２個設けて切り込み両端から中央方向に移動してスライドファスナー１１４を閉じるようにすると使い勝手が良い。この実施の形態では、羽毛敷布団の最終組立ては、底面に設けた閉口部から袋体の各小区画室内に、前述した弾性体部を納めてファスナー１１４を閉じて開口部１１３を封止することで完了する。このような構成にしてあれば、使用期間中に、局部的に弾性が劣化した部分の充填体のみを簡単に交換することができるから、補修性が向上し長期にわたって使用することが可能になり好適である。上述の保護布１１１は、羽毛敷布団に部分的に固定されているものだが、これ以外にも、保護布１１１自体は四辺全周が敷布団に固着されているが、ファスナーを用いる等して保護布１１１の一部が必要に応じて開口自在に構成されていても良い。
【００２８】
以下に、上記構成の保護布１１１を有する敷布団の構成について更に詳細に説明する。図９、１０及び図１１は、羽毛敷布団１００ｂの裏面を示す底面図である。
図に示すように、羽毛敷布団１００ｂは、羽毛敷布団主部の底面側に固着されるとともに、開口部１１３を設けた保護布１１１を有している。すなわち、羽毛敷布団１００ｂ下面となる保護布１１１の一短辺と一方の長辺に沿ってＬ字状に連続した切り込み１１５が設けられ、この切り込み１１５に沿って全長にわたってスライドファスナー１１４が取り付けられている。ファスナー１１４には適宜２つのランナー１１４ａ，１１４ａにより切り込み１１５の両端部から切り込み全長を閉塞可能としている。通常使用状態では充填体６を小区画室５の内部に収容してスライドファスナー１１４が閉じられているが（図９）、必要に応じて図１０に示すように、スライドファスナー１１４を両端部まで解放すれば底面中央部分が開口部１１３として大きく開口して小区画室５から挿入口部５ａを介して充填体６を簡単に取り出し新しいものと交換することができる。このように保護布１１１の開口部１１３は、羽毛敷布団１００ｂの下面の一短辺と一方の長辺に沿ってＬ字状に連続した切り込み１１５と、この切り込み１１５に沿って取り付けられた切り込み全長を閉塞可能なスライドファスナー１１４でなる。なお、ファスナーによる以外にも、ホックを開口部に沿って離散的に配置した構成とする事もできる。
【００２９】
図１１は更に他の実施形態の羽毛敷布団１００ｃの裏面を示す底面図である。この実施形態では，上記図８に示した羽毛敷布団１００ａと略同様であるが、外周部に縁布４を用いず全面に充填体６のみを配置するようにした点のみが異なっているもので、その他の部分は同等であるから説明は省略する。
【００３０】
以上、本発明について実施の形態を挙げて説明したが、本発明は実施の形態に限定されるものではなく、各種の変形が可能である。例えば、実施形態では袋状側地の形成に接着を用いる場合についてのみ説明したが、結合に縫着を用いた場合でも同様で、中心取りや縫合時の寸法取りが不要になり、相応の工数低減効果が得られる。また、六角形状（亀甲パターン）の小区画室を形成した布団の実施の形態について説明したが、本発明における小区画室の平面形状はこれに限らない。例えば、格子状の小区画室であっても良いし、斜行した四角形（菱形）、その他のパターンを採用することができる。夫々の場合に対応して小区画室の形状位置を明示する図柄を表側地の表面にプリントしておけば上述した殆ど同様の作業手順で羽毛敷布団を製造でき、従来のような直接の羽毛充填に替えて充填体を使用することと併せて顕著な工数低減が可能になり低コスト化に結びつく。小区画室の平面形状に対応させた形状の複合素材の充填体が組み合わせられて集合的に充填される。
【産業上の利用可能性】
【００３１】
本発明の羽毛敷布団では、各部材間に間仕切りを設けその仕切り材を縫製又は融着し上下側生地を固定する事により使用時の衝撃に対し頑強に形態保持がなされ、変形や歪みを瞬時に補正する機能を有していることにより、快適感が飛躍的に向上して寝心地も良くなるし耐久性も格段に向上する。小区画室の形状位置を明示する図柄を表側地の表面にプリントしておけば、接着により容易に羽毛敷布団を製造でき、従来のような直接の羽毛充填に替えて充填体を使用することと併せて顕著な工数低減が可能になり、低コスト化を実現することが出来る。また、充填体の素材を適宜選択することによって、羽毛布団のみならず、マットレス等に利用することも可能となる。
【図面の簡単な説明】
【００３２】
【図１】Ａは、本発明の第１実施形態の羽毛敷布団の平面図、Ｂは、正面図である。
【図２】第１実施形態の羽毛敷布団の部分切欠底面図である。
【図３】Ａは表側地の平面拡大図、Ｂは裏側地の平面拡大図である。
【図４】羽毛敷布団用の充填体の第一の実施形態を示す一部切欠平面図である。
【図５】充填体の第二の実施形態を示す一部切欠平面図である。
【図６】Ａは、充填体の第三の実施形態を示す一部切欠平面図、ＢはＶＩ−ＶＩ線断面図である。る。
【図７】Ａ，Ｂ，Ｃは、それぞれ充填体の他の実施形態を示す説明図である。
【図８】羽毛敷布団の他の実施形態を示す底面図である。
【図９】羽毛敷布団の他の実施形態を示す底面図である。
【図１０】羽毛敷布団の他の実施形態を示す底面図である。
【図１１】羽毛敷布団の他の実施形態を示す底面図である。
【符号の説明】
【００３３】
１  表側地
２，３０２ａ、３０２ｂ、３０２ｃ  隔壁布材
３  裏側地
４  縁布
５、５０５ａ、５０５ｂ、５０５ｃ  小区画室
５ａ  挿入口部
６、１０６，２０６，２０６ａ、３０６ｂ，３０６ｃ  充填体
７、１０７，２０７  弾性体部
８、１０８,  ２０８，２０８ａ  空隙部
９、１０９、２０９  羽毛
１０  内袋体
１１、１１１  保護布
１２  留め具
１３、１１３  開口部
１４、１１４  スライドファスナー
１５、１１５  切り込み
１００，１００ａ，１００ｂ，１００ｃ，１００ｄ  羽毛敷布団
ＬＰ  区画模様
【図１】
2007135671.tif 000003
【図２】
2007135671.tif 000004
【図３】
2007135671.tif 000005
【図４】
2007135671.tif 000006
【図５】
2007135671.tif 000007
【図６】
2007135671.tif 000008
【図７】
2007135671.tif 000009
【図８】
2007135671.tif 000010
【図９】
2007135671.tif 000011
【図１０】
2007135671.tif 000012
【図１１】
2007135671.tif 000013